(57)【要約】【課題】  毛髪が妨げになる時全てに置いて、毛髪にも負担を掛けずにスッキリ残り毛無く、誰にでも手軽に簡単にワンタッチで装着して毛髪をまとめる事が出来るターバンキャップである。【解決手段】  底辺部に平コ゛ムと上の開口部に細コ゛ムと蓋の部分を設け、ターバンキャップを被り首まで通し、ターバンキャップをフェイスラインから襟足まで上げ毛髪を下から上にすくい上げ、蓋の部分を上に軽く持ち上げる事で簡単に毛髪がターバンキャップに納まることが出来る、蓋をして留め具に留めると毛髪全体を簡単尚且つスピーデイーにまとめることが出来る。【選択図】図２
2009007692.tif 000002
【特許請求の範囲】
【請求項１】
吸水性の良い生地、例えばタオル地を筒状に形成し、その下部底辺部と上部の開口部にコ゛ムを付け、上部に蓋部を設け頭髪全体をワンタッチで包むターバンキャップ。
【請求項２】
髪の長さに関係なく、すんなりキャップ内にワンタッチで納まる上部のゴムと蓋にあたる部分を特徴とする請求項１記載のターバンキャップ。
【発明の詳細な説明】
【技術分野】
【０００１】
本発明は、子供からシルバーの方まで誰でも手軽に簡単に髪全体をすっきり包みワンタッチでまとめられるターバンキャップに関する。
【背景技術】
【０００２】
従来のターバンは、全体にコ゛ムを設けバンド状の物が多く、キャップは上から被るタイプの物が一般的である。
【０００３】
筒状のターバンで首まで被り、上方向に上げながら髪を包み込み紐で包むタイプの物がある。（特許文献１参照）
巻き込むタイプのターバンがある。（特許文献２参照）
【特許文献１】特開２００１−３０３３５０号
【特許文献２】特開平１０−１５５５３７号
【発明の開示】
【発明が解決しようとする課題】
【０００４】
従来のターバンタイプは髪全体を包む物でなく、髪を押さえ過ぎて嫌なクセを作ってしまう。
【０００５】
エステテックなども髪の始末に、長方形のタオルを利用した場合動きと共にタオルがズレて手にオイルが付いている状態でも直さざるを得ない状況があった。
【０００６】
上から被る、髪全体を包むのに困難を要し髪のはみ出しが出てしまい、防水性のものは蒸れによる痒みの刺激を頭皮に与えてしまう、又、シャワーの場合は上からであるが温泉等湯船に浸かる場合上からより、襟足の下の部分がシッカリしていないと髪の保護が出来ず濡れてしまうことが有った。
【０００７】
手軽に髪全体を無理なく、簡単な手順でまとめられる物が無かった。
【０００８】
本発明は、上記従来のものを鑑みてなされたもので、誰にでも簡単に手軽に装着でき、髪のはみ出しも無く頭皮の刺激になる蒸れの心配や髪の締め付けもない、従来の欠点を解決する為のものである。
【課題を解決するための手段】
【０００９】
使用する布地は防水性のもの又は吸水性の良いものでも使用出来る。例えばタオル地を、筒状に形成し下部の底辺部と上部の開口部の両端にコ゛ムを設け、下部の底辺部より頭から被り首まで上部の開口部のコ゛ムまで通しその上に髪を持ち上げ、底辺の平コ゛ムの部分をフェイスラインまで持ち上げ、開口部の細コ゛ムの部分を髪を中に包みながら引き上げ蓋になる部分を後頭部から前頭部に被せとめ具に掛ける。
【００１０】
ヘアースタイルを崩さないで濡らさないでなど髪を気にせずにシャワーやお風呂に入れたり、毛髪の邪魔が無いため顔や首まで耳などのケアーや手入れが充分に行える。
【００１１】
防水性の布地を使用した場合でも頭頂部が開いている為蒸れの心配も無く、襟足の髪もスッキリ保護される。
【００１２】
タオル生地を使用した場合、シャワーや湯船に浸かる時に髪を濡らしたく無い時もシッカリ包みまとめられる為髪を保護し、又シャンプー後の湿った髪の滴の保護もこのターバンキャップを使用することで吸水性の生地により水分を吸収し、ウエットヘアーの対策も効果を発揮する。
【発明の効果】
【００１３】
簡単に使用できる構成であることで年齢問わず誰にでも手軽に髪をスッキリまとめる事が出来るため、襟足まで髪を気にせず洗う事が出来、化粧や顔の手入れがしやすくなる等の効果がある上、髪を必要以上締め付けないので嫌な癖を付ける事も無くヘアースタイルを守る働きもあり、ターバンキャップを付けたまま他の家事をすることも出来る。
【００１４】
タオル地を年齢や好みに合わせた色や柄にすることで楽しみを持て、又お風呂の湯に髪が浸かることが無いので湯の汚れや髪の浮きも無い、特に公共施設などのお風呂や温泉等の衛生面でも効果を発揮する。
【００１５】
一般家庭や個人利用以外でもエステティック、スパ、マッサージ、介護施設、等用途は幅広く利用出来る。
【発明を実施するための最良の形態】
【００１６】
以下、本発明の実施の形態を添付図面に基づいて説明する。
【００１７】
吸水性の布地、例えばタオル地が適しているが吸水率の良いものであればなんでも良い。既製品のタオルを利用するのも周囲の始末をしなくとも済む。高さは襟足から頭頂部の包む長さ、横幅はネープラインからフェイスラインの包む長さに合わせ、タオルを半分に折、（図１）輪にした状態で１０の位置は底辺から前頭部を包む高さと、１１は横に奥行きの位置とし１０から１１を通り、１２に向かってカーブ尺に裁断する。このカーブ尺の裁断がこのターバンキャップの特長で後頭部からの蓋の部分を設け、その蓋部が髪全体をまとめスッポリ包むことになる。それぞれ裁断部はロックがけをして始末して置く。今回(図１)の裁断は後頭部に筒状の縫い合わせを位置したがこれ限りではない、縫い合わせを前中心にする事も可能である、その場合輪を逆にして裁断する。(図２)１は縫いしろを取り筒状に縫い合わせる、そこが後頭部の中心に位置する。２の部分が底辺部でフェイスラインに位置する、周りに平コ゛ムを縫い付ける、この平コ゛ムが襟足からフェイスラインにフィット感を与え髪を支え保護する。３の開口部分がこのターバンキャップの特徴である。開口部全体に縫いしろをとり、４から５の位置まで細コ゛ムを入れる。その後ろにあたるカーブの裁断とそのコ゛ムの働きがどんな髪でもワンタッチでまとめ、キャップ内に収める事が出来る。尚4と5のコ゛ム止めの位置を内側方向ハの字に縫い留める、その事で被った時にキャップが立体的に綺麗に納まる。この後頭部から蓋部にあたる部分が包み込みをスムーズに行う部分であり、髪の長さや用途によって、例えばロングヘアーのシャンプー後に使用する場合等は吸水性の良い布地を利用する又は２枚重ねることで使用感が良くなる、またサイズの大きさを変える事も良い。蓋部を別に裁断して取り付ける事も可能である。７は留め具のサイズに合わせ細ゴムを取り付ける、尚共布をバイヤスに取り細コ゛ムに縫いつけるのも良い。それを８の位置に付ける。この８を開口部に被せ蓋部が毛髪全体を包み９の止め具に留める、９のとめ具は前中心に位置し、蓋の位置に合わせ取り付ける。この留め具も蓋部が留る物であれば何でも良い、例えばマジックテープや紐、リボンなども良く年代用途に合わせたものが良い。
【００１８】
(図５)１の縫い目を後頭部の中心に９の止め具を前頭部の中心に合わせる様に、２の底辺のフェイスラインにあたる部分を両手で持ち、頭頂部から被り３の開口部まで首まで通す、髪の毛をその上に残さずあげる、次に２の平コ゛ムの底辺部分をフェイスラインに持ち上げて７の部分を上に軽く引き上げる、すると髪の毛が全部キャップ内に納まる。そして７を９の留め具に掛ける。
【００１９】
上記実施形態では、タオル地を使用した例を示したがこれ限りでは無い、用途に合わせた布地を使用する事で多目的に活用出来る。平コ゛ムも紐やベルト等を使用しても良く、留め具も軽く留めやすいもので有れば何でも良い。又、毛髪が妨げになる場合の業種、環境に合わせて生地やサイズを選ぶと便利性が高くなる。
【図面の簡単な説明】
【００２０】
【図１】本発明の分解斜視図である
【図２】上記ターバンキャップの斜視図である
【図３】上記ターバンキャップの正面図である（蓋部を解放した状態）
【図４】上記ターバンキャップの正面図である（蓋部を閉じた状態）
【図５】上記ターバンキャップの装着手順を説明するための斜視図である
【符号の説明】
【００２１】
１    縫い合わせ部
２    底辺部  平コ゛ム
３    コ゛ム
４    コ゛ム止め
５    コ゛ム止め
６    縫いしろ
７    留めコ゛ム
８    頂部
９    留め具
１０  裁断部
１１  裁断部
１２  裁断部
【図１】
2009007692.tif 000003
【図２】
2009007692.tif 000004
【図３】
2009007692.tif 000005
【図４】
2009007692.tif 000006
【図５】
2009007692.tif 000007